(57)【特許請求の範囲】
【請求項１】
共通の中心軸線上に所定間隔を置いて配置される二つの環状部と該二つの環状部を連結する横木部を備えた基体と、
前記基体の外周面に巻装されて円筒形状を成し、その外周面に孔版原紙が巻かれる可撓性多孔シートと、
前記基体の横木部に設けられて前記孔版原紙の一端部を係止する原紙係止手段と、
前記可撓性多孔シートの内部から外部へインキを供給するために該可撓性多孔シートの内部に設けられ、前記基体及び該可撓性多孔シートが前記中心軸線の周りに回転する際、該可撓性多孔シートの内周面を押し出すことにより該可撓性多孔シートを半径方向の外方に膨出させる中押し手段と、
前記基体と前記可撓性多孔シートとの間に発生する周方向の摩擦抵抗を低減する摩擦抵抗低減手段とを具備する孔版印刷装置の版胴。
【請求項２】
共通の中心軸線上に所定間隔を置いて配置される二つの環状部と該二つの環状部を連結する横木部を備えた基体と、
一縁部及び他縁部と一対の側縁部とを有する展開形状が長方形の可撓性多孔シートであって、前記一縁部が前記横木部又は該横木部近傍の前記環状部に固定され、前記一対の側縁部が前記環状体に対して摺動可能となるように該環状体に巻かれ、前記他縁部が該環状体の周方向に移動可能となるように該横木部又は該横木部近傍の前記環状部に取り付けられて全体として円筒形状を成し、その外周面に孔版原紙が巻かれる可撓性多孔シートと、
前記基体の横木部に設けられて前記孔版原紙の一端部を係止する原紙係止手段と、
前記可撓性多孔シートの内部から外部へインキを供給するために該可撓性多孔シートの内部に設けられ、前記基体及び該可撓性多孔シートが前記中心軸線の周りに回転する際、該可撓性多孔シートの内周面を押し出すことにより該可撓性多孔シートを半径方向の外方に膨出させる中押し手段と、
前記基体と前記可撓性多孔シートとの間に発生する周方向の摩擦抵抗を低減する摩擦抵抗低減手段とを具備する孔版印刷装置の版胴。
【請求項３】
前記可撓性多孔シートの他縁部と前記横木部又は該横木部近傍の前記環状部との間に設けられ、該可撓性多孔シートを前記基体に弾性的に取り付ける弾性部材を備えた請求項２記載の孔版印刷装置の版胴。
【請求項４】
前記摩擦抵抗低減手段が、互いに接触する前記基体と前記可撓性多孔シートの少なくとも一方に設けられた複数個の突部である請求項１または２記載の孔版印刷装置の版胴。
【請求項５】
前記摩擦抵抗低減手段が、互いに接触する前記基体と前記可撓性多孔シートの少なくとも一方に貼着された滑性を有する部材である請求項１または２記載の孔版印刷装置の版胴。
【請求項６】
前記摩擦抵抗低減手段が、互いに接触する前記基体と前記可撓性多孔シートの少なくとも一方に施された滑面処理表面である請求項１または２記載の孔版印刷装置の版胴。
【請求項７】
前記環状部の外周面と該環状部の外周面に接触する前記可撓性多孔シートの内面の少なくとも一方に、前記突部が設けられた請求項４記載の孔版印刷装置の版胴。
【請求項８】
さらに前記横木部の内面と該横木部の内面に接触する前記可撓性多孔シートの外面の少なくとも一方に、前記突部が設けられた請求項７記載の孔版印刷装置の版胴。
【請求項９】
互いに接触する前記基体と前記可撓性多孔シートの少なくとも一方に、前記版胴の内部から外部への、前記基体と前記可撓性多孔シートの接触部におけるインキの漏出を防止する堰部を設け、該堰部を前記突部と実質的に同じ高さとした請求項８記載の孔版印刷装置の版胴。
【請求項１０】
前記突部が、前記版胴の内部から外部への、前記基体と前記可撓性多孔シートとの接触部におけるインキの漏出を防止する請求項８記載の孔版印刷装置の版胴。
【発明の詳細な説明】
【０００１】
【発明の属する技術分野】
本発明は孔版印刷装置の版胴に関するものである。
【０００２】
【従来の技術】
孔版印刷装置の一つとして、中心軸線の周りに回転可能に軸支された多孔性円筒状版胴を備え、この版胴に製版された孔版原紙を巻装し、版胴内から版胴外へインキを供給すると共に版胴の外周面の孔版原紙に印刷紙を密着させて印刷を行うものが知られている。
【０００３】
このような基本構造の孔版印刷装置の中には、より具体的には次のような機構をもつものが知られている。すなわち、共通の軸線上に所定間隔を置いて配置される二つの環状部を横木部で連結して基体を構成し、前記基体の略全外周面わたって可撓性多孔シートを円筒形状に巻装して円筒形状の版胴を構成する。可撓性多孔シートは、その始端部が横木部の一方の縁に固定され、基体に円筒形状に巻装された後、その後端部が横木部の他方の縁にばね部材などを介して弾性的に固定される。従って、可撓性多孔シートは版胴の回転方向に沿って環状部の表面に対して摺動できるように巻き付けられ、環状部に自由に着座した状態となっている。
【０００４】
版胴の内部には中押しローラとその表面にインキを供給するインキ供給装置が設けられており、版胴が回転し印刷を行う時、可撓性多孔シートをその半径方向の外方に膨出させて中押しローラが可撓性多孔シートの内周面に沿って転動し、可撓性多孔シートと孔版原紙を介してインキの供給がなされる。版胴の外方には裏押しローラが版胴にごく接近して隔置されて設けられ、版胴と裏押しローラとの間に印刷用紙を挟んでインキを転写させて印刷を行う。以上のような構造の版胴は、例えば特願平１−４７０２９号などに開示されている。
【０００５】
【発明が解決しようとする課題】
前記孔版印刷装置によれば、印刷は、中押しローラが可撓性多孔シートの内周面に沿って転動しつつ版胴の一部をその半径方向外方へ膨出させ、その膨出部分と裏押しローラとの間に印刷用紙を挟んでインキを印刷用紙に転写させることにより行う。中押しローラに押されて外方に膨出した可撓性多孔シートは、その後端部をばね部材により環状部の外周面に沿って版胴回転方向後方側へ引っ張られれる。
【０００６】
しかし、可撓性多孔シートが環状部の外周面上に自由に着座していても、両者間には接触によって環状部の周方向へのかなりの摩擦抵抗が生じており、印刷開始時におけるこの摩擦抵抗が中押しローラの可撓性多孔シートの円滑な押し出しを阻害する。
【０００７】
また、可撓性多孔シートと環状部との間の環状部周方向の摩擦力が中押しローラの膨出を妨げようとして、用紙の前部に当たる版胴の印刷開始部で用紙への印圧に不足が発生し、印刷が不鮮明となる。さらに中押しローラやその駆動手段への負荷を増加させる原因となる。また、可撓性多孔シートと環状部との間にインキが入り込み、横木部から見て両端の摩擦抵抗が不均一となり、中押しローラと可撓性多孔シートの内周面との接触圧に不均衡が生じ、インキの用紙への転写量が不均一となって画像ムラなどの原因となる。また、環状部の周方向に対応する原紙の両端部においても、用紙への印圧が異なるため原紙にしわが生じてしまう。
【０００８】
本発明は、基体に可撓性多孔シートを巻装し、内部から該シートを中押しローラで押し出して印刷を行う孔版印刷装置の版胴において、前記可撓性多孔シートを押し出すときの中押しローラへの負荷を軽減し、均一な印刷画像を得ることを目的としている。
【０００９】
【課題を解決するための手段】
請求項１に記載された孔版印刷装置の版胴は、共通の中心軸線上に所定間隔を置いて配置される二つの環状部と該二つの環状部を連結する横木部を備えた基体と、前記基体の外周面に巻装されて円筒形状を成し、その外周面に孔版原紙が巻かれる可撓性多孔シートと、前記基体の横木部に設けられて前記孔版原紙の一端部を係止する原紙係止手段と、前記可撓性多孔シートの内部から外部へインキを供給するために該可撓性多孔シートの内部に設けられ、前記基体及び該可撓性多孔シートが前記中心軸線の周りに回転する際、該可撓性多孔シートの内周面を押し出すことにより該可撓性多孔シートを半径方向の外方に膨出させる中押し手段と、前記基体と前記可撓性多孔シートとの間に発生する周方向の摩擦抵抗を低減する摩擦抵抗低減手段とを具備している。
【００１０】
請求項２に記載された孔版印刷装置の版胴は、共通の中心軸線上に所定間隔を置いて配置される二つの環状部と該二つの環状部を連結する横木部を備えた基体と、一縁部及び他縁部と一対の側縁部とを有する展開形状が長方形の可撓性多孔シートであって、前記一縁部が前記横木部又は該横木部近傍の前記環状部に固定され、前記一対の側縁部が前記環状体に対して摺動可能となるように該環状体に巻かれ、前記他縁部が該環状体の周方向に移動可能となるように該横木部又は該横木部近傍の前記環状部に取り付けられて全体として円筒形状を成し、その外周面に孔版原紙が巻かれる可撓性多孔シートと、前記基体の横木部に設けられて前記孔版原紙の一端部を係止する原紙係止手段と、前記可撓性多孔シートの内部から外部へインキを供給するために該可撓性多孔シートの内部に設けられ、前記基体及び該可撓性多孔シートが前記中心軸線の周りに回転する際、該可撓性多孔シートの内周面を押し出すことにより該可撓性多孔シートを半径方向の外方に膨出させる中押し手段と、前記基体と前記可撓性多孔シートとの間に発生する周方向の摩擦抵抗を低減する摩擦抵抗低減手段とを具備している。
【００１１】
請求項３に記載された孔版印刷装置の版胴は、請求項２記載の孔版印刷装置の版胴において、前記可撓性多孔シートの他縁部と前記横木部又は該横木部近傍の前記環状部との間に設けられ、該可撓性多孔シートを前記基体に弾性的に取り付ける弾性部材を備えている。
【００１２】
請求項４に記載された孔版印刷装置の版胴は、請求項１または２記載の孔版印刷装置の版胴において、前記摩擦抵抗低減手段が、互いに接触する前記基体と前記可撓性多孔シートの少なくとも一方に設けられた複数個の突部であることを特徴とする。
【００１３】
請求項５に記載された孔版印刷装置の版胴は、請求項１または２記載の孔版印刷装置の版胴において、前記摩擦抵抗低減手段が、互いに接触する前記基体と前記可撓性多孔シートの少なくとも一方に貼着された滑性を有する部材であることを特徴とする。
【００１４】
請求項６に記載された孔版印刷装置の版胴は、請求項１または２記載の孔版印刷装置の版胴において、前記摩擦抵抗低減手段が、互いに接触する前記基体と前記可撓性多孔シートの少なくとも一方に施された滑面処理表面であることを特徴としている。
【００１５】
請求項７に記載された孔版印刷装置の版胴は、請求項４記載の孔版印刷装置の版胴において、前記環状部の外周面と該環状部の外周面に接触する前記可撓性多孔シートの内面の少なくとも一方に、前記突部が設けられたことを特徴としている。
【００１６】
請求項８に記載された孔版印刷装置の版胴は、請求項７記載の孔版印刷装置の版胴において、さらに前記横木部の内面と該横木部の内面に接触する前記可撓性多孔シートの外面の少なくとも一方に、前記突部が設けられたことを特徴としている。
【００１７】
請求項９に記載された孔版印刷装置の版胴は、請求項８記載の孔版印刷装置の版胴において、互いに接触する前記基体と前記可撓性多孔シートの少なくとも一方に、前記版胴の内部から外部への、該基体と該可撓性多孔シートとの接触部におけるインキの漏出を防止する堰部を設け、該堰部を前記突部と実質的に同じ高さとしたことを特徴としている。
【００１８】
請求項１０に記載された孔版印刷装置の版胴は、請求項８記載の孔版印刷装置の版胴において、前記突部が、前記版胴の内部から外部への、前記基体と前記可撓性多孔シートとの接触部におけるインキの漏出を防止することを特徴としている。
【００１９】
上述した本発明の構成によれば、中押し手段が可撓性多孔シートの内周面に接触し、可撓性多孔シートをその半径方向外方へ膨出させる。版胴が回転すると可撓性多孔シートの一部が回転に伴って順次膨出する。中押し手段が可撓性多孔シートの内周面から離間すると、可撓性多孔シートは元の位置に復帰する。互いに接触する可撓性多孔シートと基体の少なくとも一方には、可撓性多孔シートと基体の間に発生する環状部周方向への摩擦力を減じる摩擦抵抗低減手段が設けられているため、可撓性多孔シートが膨出する際に中押し手段へ加わる負荷が軽減される。
【００２０】
【発明の実施の形態】
次に図を参照して本発明の実施の形態を説明する。図１に示すように、中心軸線と回転軸を同じくする二つの環状部１ａ，１ｂが所定間隔をおいて互いに平行に配置され、それら環状部１ａ，１ｂを横木部２が連結している。環状部１ａ，１ｂはプラスチックや金属などの剛固体から構成されている。また、横木部も同様に剛固体で構成されているが、環状部１ａ，１ｂと横木部２とは一体成形された構造であってもよい。横木部２は、版胴４の一つの母線に沿う方向に設けられている。その表面には原紙の先端を係止する原紙係止手段５が設けられている。環状部１ａ，１ｂと横木部２は円筒状の版胴４の基本の枠体である基体を構成する。
【００２１】
基体の周りには長方形の展開形状を持つ可撓性多孔シート３が環状部１ａ，１ｂに沿って巻き付けられている。可撓性多孔シート３は、線材を織製、不織製または網製してなるスクリーン材、例えばステンレスワイヤを縦横に織製して成るスクリーンなどでもよいし、また、ポリエステル、テトロンなど合成樹脂繊維によるスクリーンを用いることもでき、また、微細な多数の孔を有する多孔板であってもよい。可撓性多孔シート３は、印刷に際して押圧を受けた際には版胴４の半径方向外方に膨出し、押圧が解除された時には復元し、版胴４の内外からの所定の圧力に耐える材料であればよい。合成樹脂のみのスクリーンには、耐久性を向上させるためステンレスなどを樹脂のまわりに蒸着してもよい。
【００２２】
なお、複数枚の可撓性多孔シートを重ねて用いてもよい。図２においては、環状部１ａ，１ｂの図示を省略しているが、内側の可撓性多孔シート３ａに比較的硬いステンレスワイヤのスクリーン、または、金属板に微細な多数の孔を設けた多孔板を用い、外側の可撓性多孔シート３ｂにはステンレスを蒸着した軟質のポリエステルスクリーンを用いる。また、この時の可撓性多孔シートの開口率は、版胴４の内部から供給されたインキを拡散させるために、原紙に近い外側ほどシートのメッシュ値が高い（目が細かい）ことが好ましい。また、図２は、中押しローラ７ａが、可撓性多孔シート３の内周面に接触した後、版胴の回転に伴い、可撓性多孔シートをその半径方向外方へ順次膨出させつつ回転し、ちょうど横木部と対照の位置に移動した場合の図である。
【００２３】
横木部２は版胴４の回転方向に沿ってある程度の幅をもつが、その版胴回転方向遅れ側には可撓性多孔シート３の始端が固定部材１５により固定されている。可撓性多孔シート３の始端は横木部２に直接固定されてもよいし、間接的に、例えばヒンジなどを介して固定されてもよい。更に、図２では可撓性多孔シート３の始端が横木部２の下側に位置しているが、この始端は横木部２の表面上あるいは縁部に連続して一体的に固定されていてもよい。また、環状部１の周面上であっても横木部２の近傍であれば固定することができる。可撓性多孔シート３は基体の環状部１ａ，１ｂの周面に沿って巻き付けられ、その終端部は横木部２の回転方向進み側に弾性的に固定される。図２に示すように、可撓性多孔シート３が複数枚から成る場合には、可撓性多孔シートの後端部は原紙と接触する最外層の可撓性多孔シート３ｂの後端のみをばね部材６を介して横木部２の爪部２ａに弾性的に固定される。
【００２４】
図２では、可撓性多孔シート３ａ，３ｂの終端からのインキ漏れを防止するために、外側と内側の可撓性多孔シート３ａ，３ｂの長さを異なったものとし、外側の可撓性多孔シート３ｂの終端を横木部２の下へ入り込ませて、可撓性多孔シート３ｂの一部と横木部２の一部が重なりあう重なり領域Ｃを設けている。
【００２５】
図３において、版胴４内には、インキを供給するインキ供給手段が設けられている。中押し手段としての中押しローラ７ａは、版胴４の回転にともなって版胴４の内周面（即ち可撓性多孔スクリーン３の内周面）を図示しない駆動装置によって転動し、横木部２を含む非画像部ではその部分を避けるように版胴４の内周面より離れる。ドクターローラ７ｂは中押しローラ７ａとごく接近して設けられ、中押しローラ７ａの表面のインキ層の厚さを制御しており、中押しローラ７ａと一体に移動する。
【００２６】
版胴４の外側には裏押しローラ８が設けられている。裏押しローラ８は版胴４と略同一外径で、版胴４の回転軸と平行な軸８ａを中心に図示しない駆動手段にて回転あるいは版胴４に同期して回転する。また、裏押しローラ８の版胴４の横木部２に対応する部分には凹部８ｂが設けられている。そして、版胴４の回転に同期して反対方向に回転し、給紙ローラ対９によって版胴４との間の微少間隙Ｓに送られてきた用紙Ｐを中押しローラ７ａと共に挟持し、用紙に原紙を通過したインキを転写させつつ図３（ａ）にて左側から右側へ搬送して印刷を行う。
【００２７】
その際、中押しローラ７ａは版胴４の回転に同期して印刷開始時に版胴４の回転方向前方部の可撓性多孔シート３を膨出させることになり、図３（ｂ）に示すように微小間隔Ｓにて用紙Ｐが中押しローラ７ａにより版胴４と裏押しローラ８との間に挟まれ、用紙Ｐにインキが転写されて印刷が行われる。
【００２８】
印刷時、用紙Ｐの先端を裏押しローラ８の表面に設けられた爪部で挟んで強制的に搬送する機構としてもよいが、図３に示されているように用紙Ｐを単に版胴４と裏押しローラ８との間に挟んで印刷を行う構造である場合、裏押しローラは版胴４と同大でなく半径の小さいものでもよい。
【００２９】
図４は可撓性多孔シート３を取り去った状態の図であるが、可撓性多孔シート３との接触面である環状部１ａ，１ｂの周面には、摩擦抵抗低減手段としての突起１１が設けられている。各突起１１は半球状であり、可撓性多孔シート３と接触する環状部１の周面全域にわたって複数個が規則的に配列されている。突起の形状は、その高さが均一であり、接触する可撓性多孔シート３に対する摩擦抵抗が小さく、可撓性多孔シート３に傷等をつけない形状であればどのようなものでもよいが、球状やローラ形状の曲面を有することが好ましく、環状部１の周方向に回転するものであってもよく、また、その大きさと密度は必要に応じて選択できる。
【００３０】
図５も図４と同様に可撓性多孔シート３を取り去った状態の図であるが、摩擦抵抗低減手段として、可撓性多孔シート３と接触する環状部１の周面に周方向に沿ったリブ１２を一条あるいは複数条設けることもできる。このリブ１２は版胴４内のインキが可撓性多孔シート３と環状部１との境界面から漏出することを防止するためにも効果がある。リブ１２の幅及び間隔は適宜に選択でき、また、リブ１２が複数条ある場合には、その高さは同一であることが好ましい。このリブの代わりに複数条の溝を設けることによっても摩擦抵抗を低減することができる。また、環状部１の周面にテフロンテープなどの滑り材を貼り付けて滑面としてもよい。さらに、環状部１の周面自体にテフロン加工等の滑面処理を施してもよく、また、鏡面処理されていてもよい。
【００３１】
これらの摩擦抵抗低減手段は、環状部１の周面と接する可撓性多孔シート３の縁部の内面部分に設けてもよい。
【００３２】
図２において、可撓性多孔シート３ｂと横木部２とが重なる領域Ｃについて考える。この領域Ｃにおいても、可撓性多孔シート３ｂと横木部２の間にはばね部材６の伸縮に伴って摩擦が生じる。この摩擦抵抗を低減させるため、横木部２と可撓性多孔シート３ｂの接触面に前記突起１１等の摩擦抵抗低減手段を設けてもよい。その場合、摩擦抵抗低減手段は可撓性多孔シート３ｂか横木部２の少なくとも一方に設ける。
【００３３】
印刷に際して、版胴４の外周面には製版された孔版原紙が巻装される。版胴４が回転すると、中押しローラ７ａは、版胴４の回転にともなって可撓性多孔シート３の内周面を図示しない駆動装置に駆動されて転動し、あるいは版胴４の内周面に沿って版胴４に連れ回りする。版胴４の可撓性多孔シート３は版胴４の回転方向前側部から版胴４の回転に伴って中押しローラ７ａに押されて順次外方に膨出する。
【００３４】
裏押しローラ８は、版胴４の回転に同期して反対方向に回転し、給紙ローラ対９によって版胴４との間の微少間隙Ｓに送られてきた用紙Ｐを中押しローラ７ａと共に挟持し、用紙に原紙を通過したインキを転写させつつ図３（ａ）にて左側から右側へ搬送して印刷を行う。
【００３５】
ここで、基体（環状部１及び横木部２）と可撓性多孔シート３との接触面には、両者間の摩擦抵抗を低減するような摩擦抵抗低減手段が設けられているため、印刷開始時における中押しローラ７ａによる可撓性多孔シート３の押し出しは円滑に行われる。
【００３６】
また、版胴４の回転にタイミングを合わせ、中押しローラ７ａは横木部２を含む非画像部を避けるように版胴４の内周面から離れる。中押しローラ７ａが版胴４の内周面から離れると、可撓性多孔シート３は中押しローラ７ａと裏押しローラ８との挟持から解放される。可撓性多孔シート３の後端部に固定されたばね部材６は、その弾性力によって膨出した可撓性多孔シート３を引き戻す。
【００３７】
上記の動作において、基体（環状部材１ａ，１ｂ及び横木部２）と可撓性多孔シート３との間に生じる摩擦抵抗についてさらに詳しく説明する。まず、中押しローラ７ａが版胴４の内周面に接触してこれを外方に押し出すときにばね部材６が伸びるとともに、基体と可撓性多孔シート３との間に摩擦抵抗が生じる。
【００３８】
その後、版胴４が回転している間はばね部材６の伸び量はそのままであり、可撓性多孔シート３も膨出したままで周方向への移動はないため、基体と可撓性多孔シート３との間には周方向への摩擦は発生しない。
【００３９】
中押しローラ７ａが版胴４の内周面から離れる瞬間には、単に中押しローラ７ａによる可撓性多孔シート３の膨出部分が解消されるのみで、環状部１ａ，１ｂと可撓性多孔シート３との間には摩擦抵抗は発生しない。これは、本発明の実施の形態においては、中押しローラ７ａが可撓性多孔シート３ａの終端部の近傍で版胴４の内周面から離れる為である。
【００４０】
しかしながら、例えば中押しローラ７ａが図２に示す位置にある時、印刷機にトラブルが発生したり、また原紙の画像領域が終わっている場合などに、当該中押しローラ７ａを版胴４の内周面から離れるように本装置を制御すれば、版胴４の回転方向について遅れ側（図２中で中押しローラ７ａよりも左側）においては可撓性多孔シートがばね部材６により引っ張られて戻り可撓性多孔シートと環状部材の周面との間に摩擦抵抗が生じる。
【００４１】
なお、重なり領域Ｃでは横木部２の内面側と可撓性多孔シート３が接触しているため、中押しローラ７ａがどの位置で版胴４の内周面から離れるかに係わらず、中押しローラ７ａが版胴４の内周面から離れる瞬間には、この接触部分には摩擦抵抗が生じる。
【００４２】
以上説明したように、本装置においては、中押しローラ７ａが版胴４の内周面に接するか、又は離れる時点において、中押しローラ７ａの位置よりも版胴の回転方向遅れ側にある可撓性多孔シート３と基体との間の接触部分に摩擦抵抗が生じる。
【００４３】
可撓性多孔シート３と環状部１あるいは横木部２との間の摩擦抵抗を減じるため、両者間の接触面積を減らすべく前記突起１１等を設けて両者間に間隙を設けると、その間隙からインキが入り込みやすくなる。そこで、図６に示すように、突起１１やリブ１２の高さと同じ高さの堰部１３を連続的に設け、インキが版胴４の外に漏れないようにしてもよい。環状部１に設ける場合は、版胴４の回転軸に関して中心に近い縁部に、その円周方向に沿って、連続的に設ける。
【００４４】
可撓性多孔シート３ｂと横木部２とが領域Ｃにおいて重なる図２に示したような構造の版胴において、インキが版胴４内から漏出するのを防止するためには、図７に示すように、横木部２と重なる可撓性多孔シート３の後端部の上面に、横木部２の端縁部２ａの内側に接する堰部１３を、回転軸に平行に連続的に設ける。
【００４５】
また、図８（ａ），（ｂ）に示すように、摩擦抵抗を減少させるために環状部１の周面に設ける突起１４を、版胴４内から外部へインキの漏出を防ぐような形状とすることもできる。その場合、版胴４の回転軸に関し、中心側から外側へ向かう方向のインキの移動を防止するような堰止め形状であることが好ましい。
【００４６】
以上本発明の実施の形態を詳細に説明したが、本発明の範囲はこれに限定されるものではなく、種々の応用・変形が可能であることは当業者にとって明らかであろう。
【００４７】
【発明の効果】
本発明は、基体に可撓性多孔シートを弾性的に巻装し、内部から該シートを中押し手段で押し出して印刷を行う孔版印刷装置の版胴において、基体と可撓性多孔シートの接触面に摩擦抵抗低減手段を設けたので、押し出し時におけるローラへの負荷が軽減される。
【図面の簡単な説明】
【図１】本発明の実施の形態における版胴の斜視図。
【図２】本発明の実施の形態における版胴の断面図。
【図３】本発明の実施の形態における孔版印刷装置の印刷動作を示す図。
【図４】本発明の実施の形態における版胴の要部の一形状例を示す拡大斜視図。
【図５】本発明の実施の形態における版胴の要部の他の形状例を示す拡大斜視図。
【図６】本発明の実施の形態における版胴の要部の他の形状例を示す断面図。
【図７】本発明の実施の形態における版胴の要部の他の形状例を示す断面図。
【図８】本発明の実施の形態における版胴の要部の他の形状例を示す断面図。
【符号の説明】
１，１ａ，１ｂ  基体の一部を構成する環状部
２  基体の一部を構成する横木部
２ａ  爪部
３，３ａ，３ｂ  可撓性多孔シート
３ｃ  可撓性多孔シート終端部
４  版胴
５  原紙係止手段
６  バネ部材
７  インキ供給手段
７ａ  中押し手段としての中押しローラ
７ｂ  ドクタローラ
８  裏押しローラ
８ａ  軸
９  給紙ローラ対
１１，１４  突起
１２  リブ
１３  インキ漏れ防止堰
１５  固定部材
Ｃ  重なり領域
【図１】
0003635129.tif 000002
【図２】
0003635129.tif 000003
【図３】
0003635129.tif 000004
【図４】
0003635129.tif 000005
【図５】
0003635129.tif 000006
【図６】
0003635129.tif 000007
【図７】
0003635129.tif 000008
【図８】
0003635129.tif 000009